(57)【特許請求の範囲】
【請求項１】
端末は、基地局にランダムアクセス要求を送信するステップと、
前記端末は、基地局からのランダムアクセスバックオフインジケータを受信するステップであって、前記ランダムアクセスバックオフインジケータは、異なる種類の端末が異なるバックオフパラメーターを適用して、ランダムアクセスが失敗した後にランダムアクセスを再開することを示す前記受信するステップと、
前記端末は、前記ランダムアクセスバックオフインジケータに従って、ランダムアクセスを開始し、
前記端末は、前記基地局によって示されるバックオフしきい値を受信し、前記ランダムアクセスバックオフインジケータによって示される前記端末のＢＩパラメーター値が前記バックオフしきい値より小さければ、前記端末は、均一分散アルゴリズムでランダムアクセスを再開する時刻を計算し、前記ランダムアクセスバックオフインジケータによって示される前記端末のＢＩパラメーター値が前記バックオフしきい値より大きい場合、前記端末は、非均一分散アルゴリズムでランダムアクセスを再開する時刻を計算し、
または、前記端末は、前記基地局によって示されるアクセス係数を受信し、前記アクセス係数に従って前記ランダムアクセスバックオフインジケータによって示される前記端末のＢＩパラメーター値を修正し、
前記アクセス係数は、前記端末に必要な遅延が大きいほど、前記アクセス係数によって示される端末アクセス確率が高くなることを特徴とするランダムアクセスバックオフ後のランダムアクセス方法。
【請求項２】
前記端末が、前記ランダムアクセスバックオフインジケータに従って、ランダムアクセスを開始するステップでは、
前記ランダムアクセスバックオフインジケータのデフォルトのバックオフパラメーターが０であり、前記端末が短い遅延ユーザー種類端末または短い遅延サービス種類端末であれば、前記端末は、一番近接するリソースにおいてランダムアクセスを開始し、
前記ランダムアクセスバックオフインジケータにおいて、特定の端末のデフォルトのバックオフパラメーターは、０に設定され、前記特定の端末は、短い遅延ユーザー種類端末であるか短い遅延サービス端末であることを特徴とする請求項１に記載のランダムアクセスバックオフ後のランダムアクセス方法。
【請求項３】
前記端末が、基地局にランダムアクセス要求を送信するステップでは、
前記端末は、基地局によって異なる種類の端末のために事前に割り当てられた異なるランダムアクセスリソースにおいて、前記端末の端末種類に従って、対応するランダムアクセスリソースにおいてランダムアクセス要求を送信することを特徴とする請求項１に記載のランダムアクセスバックオフ後のランダムアクセス方法。
【請求項４】
前記端末が、前記ランダムアクセスバックオフインジケータに従って、ランダムアクセスを開始するステップでは、
前記端末は、端末種類に従って前記ランダムアクセスバックオフインジケータにおけるバックオフインジケータ（ＢＩ）パラメーターに対応する時間値を決定した後、決定された時間値に従ってランダムアクセスを開始し、
前記ランダムアクセスバックオフインジケータのＢＩパラメーターは、異なる種類の端末に応じて異なる時間値に対応し、
または、前記端末が、前記ランダムアクセスバックオフインジケータに従って、ランダムアクセスを開始するステップでは、
前記端末は、ランダムアクセス応答のバックオフインジケータによって示めされた複数のＢＩ値のうちの、端末のユーザー需要および/または端末種類に従って決定されたＢＩ値に基づいて、ランダムアクセスを開始することを特徴とする請求項１に記載のランダムアクセスバックオフ後のランダムアクセス方法。
【請求項５】
複数のＢＩ値は、メディアアクセス制御ＭＡＣサブヘッダーにおいて、複数の端末種類インジケータおよび前記複数の端末種類それぞれに対応するＢＩパラメーターを運ぶことによって、前記ランダムアクセス応答のバックオフインジケータにより示されることを特徴とする請求項４に記載のランダムアクセスバックオフ後のランダムアクセス方法。
【請求項６】
前記端末は、
端末種類、端末ユーザーサービスのサービス品質識別子（ＱＣＩ）需要、端末サービスのＱＣＩ需要、前記端末が所属するネットワーク、前記端末サービスが所属するネットワーク、前記端末が所属する無線アクセスネットワーク（ＲＡＮ）側のスライス、および前記端末サービスが所属するＲＡＮ側のスライスのうちの１つまたはそれらの任意の組み合わせに従って分類され、および/または、
端末のサービスが複数ある場合、ランダムアクセスをトリガーするためのサービス需要を端末の現在需要として決定し、サービス需要に従って端末を分類することを特徴とする請求項１に記載のランダムアクセスバックオフ後のランダムアクセス方法。
【請求項７】
基地局は、端末からのランダムアクセス要求を受信するステップと、
前記基地局は、ランダムアクセスバックオフインジケータを送信し、前記ランダムアクセスバックオフインジケータは、異なる種類の端末が異なるバックオフパラメーターを適用し、ランダムアクセスが失敗した後にランダムアクセスを再開することを示し、
前記基地局は、端末種類を決定した後、前記端末種類に対応するＢＩ値を選択し、ランダムアクセス応答のバックオフインジケータによってＢＩ値を示す場合、前記端末にバックオフしきい値を示し、前記端末に、前記バックオフしきい値より小さい場合、均一分散アルゴリズムでランダムアクセスを再開する時刻を計算させ、前記バックオフしきい値より大きい場合、非均一分散アルゴリズムでランダムアクセスを再開する時刻を計算させ、
または、前記基地局は、前記端末にアクセス係数を示し、前記端末に必要な遅延が大きいほど前記アクセス係数によって示される端末アクセス確率が高くなることを特徴とするランダムアクセスバックオフを示す方法。
【請求項８】
前記ランダムアクセスバックオフインジケータにおいて、特定の端末のデフォルトのバックオフパラメーターは、０に設定され、前記特定の端末は、短い遅延ユーザー種類端末であるか短い遅延サービス端末であることを特徴とする請求項７に記載のランダムアクセスバックオフを示す方法。
【請求項９】
前記ランダムアクセスバックオフインジケータは、ランダムアクセス要求を受信するランダムアクセスリソースに従って対応する種類および要求の端末のために割り当てられ、
前記基地局は、異なる種類の端末のために異なるランダムアクセスリソースを事前に割り当てることを特徴とする請求項７に記載のランダムアクセスバックオフを示す方法。
【請求項１０】
前記基地局がランダムアクセスバックオフインジケータを送信する前に、端末を分類し、異なる種類の端末に異なるバックオフパラメーターを適用させ、
前記端末は、端末種類、端末ユーザーサービスのサービス品質識別子（ＱＣＩ）需要、端末サービスのＱＣＩ需要、前記端末が所属するネットワーク、前記端末サービスが所属するネットワーク、前記端末が所属する無線アクセスネットワーク（ＲＡＮ）側のスライス、および前記端末サービスが所属するＲＡＮ側のスライスのうちの１つまたはそれらの任意の組み合わせに従って分類され、および/または、
端末のサービスが複数ある場合、ランダムアクセスをトリガーするためのサービス需要を端末の現在需要として決定し、サービス需要に従って端末を分類することを特徴とする請求項７に記載のランダムアクセスバックオフを示す方法。
【請求項１１】
基地局にランダムアクセス要求を送信するための送信モジュールと、
基地局からのランダムアクセスバックオフインジケータを受信するための受信モジュールであって、前記ランダムアクセスバックオフインジケータは、異なる種類の端末が異なるバックオフパラメーターを適用して、ランダムアクセスが失敗した後にランダムアクセスを再開することを示す前記受信モジュールと
を備え、
前記送信モジュールは、さらに、前記ランダムアクセスバックオフインジケータに従ってランダムアクセスを開始し、
前記受信モジュールは、前記基地局が端末に示すバックオフしきい値を受信し、前記送信モジュールは、前記ランダムアクセスバックオフインジケータによって示される前記端末のＢＩパラメーター値が前記バックオフしきい値より小さければ、均一分散アルゴリズムでランダムアクセスを再開する時刻を計算し、前記ランダムアクセスバックオフインジケータによって示される前記端末のＢＩパラメーター値が前記バックオフしきい値より大きければ、非均一分散アルゴリズムでランダムアクセスを再開する時刻を計算し、
または、前記受信モジュールは、前記基地局が端末に示したアクセス係数を受信し、前記送信モジュールは、前記アクセス係数に従って前記ランダムアクセスバックオフインジケータによって示される前記端末のＢＩパラメーター値を修正し、
前記基地局によって示されるアクセス係数は、端末に必要な遅延が大きいほど、前記アクセス係数によって示される端末アクセス確率が高くなることを特徴とするランダムアクセスバックオフ後のランダムアクセス装置。
【請求項１２】
前記送信モジュールは、
前記ランダムアクセスバックオフインジケータのデフォルトのバックオフパラメーターが０であり、前記端末が短い遅延ユーザー種類端末または短い遅延サービス種類端末であれば、一番近接するリソースにおいてランダムアクセスを開始し、
前記ランダムアクセスバックオフインジケータにおいて、特定の端末のデフォルトのバックオフパラメーターは、０に設定され、前記特定の端末は、短い遅延ユーザー種類端末であるか短い遅延サービス端末であり、
または、
前記送信モジュールは、
基地局によって異なる種類の端末のために事前に割り当てられた異なるランダムアクセスリソースにおいて、前記端末の端末種類に従って、対応するランダムアクセスリソースにおいてランダムアクセス要求を送信し、
または、
前記送信モジュールは、端末種類に従って前記ランダムアクセスバックオフインジケータにおけるバックオフインジケータ（ＢＩ）パラメーターに対応する時間値を決定した後、決定された時間値に従ってランダムアクセスを開始し、
前記ランダムアクセスバックオフインジケータのＢＩパラメーターは、異なる種類の端末に応じて異なる時間値に対応し、
または、
前記送信モジュールは、
ランダムアクセス応答のバックオフインジケータによって示される複数のＢＩ値のうちの、端末のユーザー需要および/または端末種類に従って決定されたＢＩ値に基づいて、ランダムアクセスを開始し、
前記送信モジュールは、
複数のＢＩ値は、メディアアクセス制御ＭＡＣサブヘッダーにおいて、複数の端末種類インジケータおよび前記複数の端末種類それぞれに対応するＢＩパラメーターを運ぶことにより、前記ランダムアクセス応答のバックオフインジケータによって示されることを特徴とする請求項１１に記載のランダムアクセスバックオフ後のランダムアクセス装置。
【請求項１３】
前記端末は、端末種類、端末ユーザーサービスのサービス品質識別子（ＱＣＩ）需要、端末サービスのＱＣＩ需要、前記端末が所属するネットワーク、前記端末サービスが所属するネットワーク、前記端末が所属する無線アクセスネットワーク（ＲＡＮ）側のスライス、および前記端末サービスが所属するＲＡＮ側のスライスのうちの１つまたはそれらの任意の組み合わせに従って分類され、および/または、
端末のサービスが複数ある場合、ランダムアクセスをトリガーするためのサービス需要を端末の現在需要として決定し、サービス需要に従って端末を分類することを特徴とする請求項１１に記載のランダムアクセスバックオフ後のランダムアクセス装置。
【発明の詳細な説明】
【技術分野】
【０００１】
［関連出願の相互参照］
本出願は、２０１７年３月２４日に中国特許局に提出し、出願番号が２０１７１０１８４４６０.８であり、発明名称が「ランダムアクセスバックオフ後のランダムアクセスおよびランダムアクセスバックオフを示す方法および装置」との中国特許出願を基礎とする優先権を主張し、その開示の総てをここに取り込む。
【０００２】
本発明は、無線通信技術分野に関し、特に、ランダムアクセスバックオフ後のランダムアクセスおよびランダムアクセスバックオフを示す方法および装置に関する。
【背景技術】
【０００３】
ロングタームエボリューション（Ｌｏｎｇ Ｔｅｒｍ Ｅｖｏｌｕｔｉｏｎ，ＬＴＥ）システムにおけるランダムアクセスには、競合ベースのランダムアクセスと、非競合ベースのランダムアクセスが含まれる。
【０００４】
競合ベースのランダムアクセスでは、端末は最初に基地局にアクセスする。無線リソース制御（Ｒａｄｉｏ Ｒｅｓｏｕｒｃｅ Ｃｏｎｔｒｏｌ，ＲＲＣ）接続が再確立され、ハンドオーバーが実行される。端末が同期されていない場合、ダウンリンクデータは非ＲＲＣ接続状態で到着し、アップリンクデータはＲＲＣ接続状態で到着する。端末はＲＲＣ接続状態にある。
【０００５】
図１は、競合ベースのランダムアクセスの概略フローチャートであり、図１に示されるように、フローは一般に以下の４つのステップを含む.
Ｍｓｇ１：ユーザ機器（Ｕｓｅｒ Ｅｑｕｉｐｍｅｎｔ，ＵＥ、端末とも呼ばれる）は、ランダムアクセスプリアンブル（ｐｒｅａｍｂｌｅ）と物理ランダムアクセスチャネル（Ｐｈｙｓｉｃａｌ Ｒａｎｄｏｍ Ａｃｃｅｓｓ Ｃｈａｎｎｅｌ，ＰＲＡＣＨ）リソースを選択し、選択されたランダムアクセスプリアンブルを当該ＰＲＡＣＨリソースで基地局に送信する。
Ｍｓｇ２：基地局は、ランダムアクセスプリアンブルを受信し、タイミングアドバンスＴＡ（Ｔｉｍｅ Ａｌｉｇｎｍｅｎｔ，タイムアライメント）を計算し、ランダムアクセス応答をＵＥに送信する。ランダムアクセス応答は、当該タイミングアドバンス情報、Ｍｓｇ３のアップリンク許可情報（ＵＬ ｇｒａｎｔ）、およびネットワーク側によって割り当てられたセル無線ネットワーク一時識別子（Ｃｅｌｌ−Ｒａｄｉｏ Ｎｅｔｗｏｒｋ Ｔｅｍｐｏｒａｒｙ Ｉｄｅｎｔｉｆｉｅｒ，Ｃ−ＲＮＴＩ）を含む。Ｍｓｇ２の許可情報を運ぶ物理ダウンリンク制御チャネル（ｐｈｙｓｉｃａｌ ｄｏｗｎｌｉｎｋ ｃｏｎｔｒｏｌ ｃｈａｎｎｅｌ，ＰＤＣＣＨ）は、Ｍｓｇ１が１０ｍｓウィンドウで送信される時間周波数リソースに唯一に対応するランダムアクセス無線ネットワーク一時識別子（Ｒａｎｄｏｍ Ａｃｃｅｓｓ−Ｒａｄｉｏ Ｎｅｔｗｏｒｋ Ｔｅｍｐｏｒａｒｙ，ＲＡ−ＲＮＴＩ）を使用してスクランブルされる。ＲＡ−ＲＮＴＩは、１０ｍｓウィンドウにおいてＭｓｇ１を送信する時間周波数リソースに唯一に対応する。また、Ｍｓｇ２にはランダムアクセスプリアンブルＩＤが運ばれる。ＵＥは、ＲＡ−ＲＮＴＩおよびランダムアクセスプリアンブルＩＤに従って、Ｍｓｇ２がＵＥによって送信されたＭｓｇ１に対応することを決定する。
Ｍｓｇ３：ＵＥは、Ｍｓｇ２によって指定されたアップリンク許可情報（ＵＬ gＲＡＮt）でアップリンク送信を送信する。ここで、Ｍｓｇ３のアップリンク送信は、ランダムアクセスの異なる理由により変化する場合があり、例えば、初期アクセスの場合、ＲＲＣ接続セットアップ要求は、Ｍｓｇ３で送信される。
Ｍｓｇ４：競合解決メッセージであり、ＵＥは、Ｍｓｇ４に従って、ランダムアクセスが成功したかどうかを決定することができる。最初にアクセスするＵＥの場合、競合が正常に解決された後、一時的なＣ−ＲＮＴＩは、セル内でＵＥを唯一に識別するＣ−ＲＮＴＩに自動的に変換される。
【０００６】
非競合ベースのランダムアクセスは、ハンドオーバー、ダウンリンクデータの到着、位置決定およびアップリンクタイミングに用いられる。図２は非競合ベースのランダムアクセスの概略フローチャートであり、図２に示されるように、フローは一般に以下の３つのステップを含む：
Ｍｓｇ０：基地局は、非競合ベースのランダムアクセス用の専用ランダムアクセスプリアンブルと、ランダムアクセス用のＰＲＡＣＨリソースとをＵＥに割り当てる。
Ｍｓｇ１：ＵＥは、Ｍｓｇ０に従って指定されたＰＲＡＣＨリソースにおいて指定された専用ランダムアクセスプリアンブルを基地局に送信し、基地局はＭｓｇ１の受信時にＭｓｇ１に従ってアップリンクタイミングアドバンス（ＴＡ）を計算する。
Ｍｓｇ２：基地局は、ランダムアクセス応答をＵＥに送信する。ランダムアクセス応答には、タイミングアドバンス情報、およびアップリンク送信リソースを後でスケジューリングするためのアップリンク許可情報（ＵＬ gｒａｎt）が含まれる。タイミングアドバンスは、後続のＵＥによるアップリンク送信のタイミング関係を示す。
【０００７】
ＵＥがＭｓｇ１を送信した後、基地局がＵＥにより送信されたランダムアクセス要求Ｍｓｇ１を受信するが、ＵＥによりアクセスできない場合（例えば、あまりにも多くのＵＥがランダムアクセスを要求しているため、十分なリソースなどがない）、ランダムアクセス応答にバックオフインジケータ（Ｂａｃｋｏｆｆ Ｉｎｄｉｃａｔｏｒ，ＢＩ）が運ばれる。ＬＴＥでは、バックオフインジケータは、メディアアクセス制御（Ｍｅｄｉａ Ａｃｃｅｓｓ Ｃｏｎｔｒｏｌ，ＭＡＣ）サブヘッダーで運ばれる。図３は、Ｅ／Ｔ／Ｒ／Ｒ/ＢＩ ＭＡＣサブヘッダーの構造図である。図３に示すように、「Ｅ」は、次のＭＡＣサブヘッダーがランダムアクセスプリアンブルＩＤまたはランダムアクセス応答（Ｒａｎｄｏｍ Ａｃｃｅｓｓ Ｒｅｓｐｏｎｓｅ，ＲＡＲ）を運ぶＭＡＣサブヘッダーであるかどうかを示し、「Ｔ」はＢＩ値またはランダムアクセスプリアンブルＩＤが現在のサブヘッダーに続くかどうかを示し、「Ｒ」は予約ビットを表し、「ＢＩ」はバックオフ時間パラメーターを示す。ＵＥは、ＢＩで示される値に従って、均一分散アルゴリズムで０~ＢＩフィールドで示される値の間の１つの時刻値を選定し、当該時刻でＭｓｇ１を再送信する。つまり、新しいランダムアクセスを開始する。セルにランダムアクセスの負荷が高い場合、基地局はより大きなバックオフ値を示し、ＵＥがランダムアクセスの再開を遅らせるようにする。セル内のランダムアクセスの負荷が低い場合、基地局は小さいバックオフ値を示し、ランダムアクセスで失敗したＵＥが新しいランダムアクセスの試行を迅速に開始できるようにする。
【０００８】
従来技術の欠点は、既存のラランダムアクセスバックオフメカニズムが既存のさまざまなユーザーの需要を満たすことができないため、ＵＥがネットワークに迅速にアクセスできず、後続のサービスデータの送信がブロックされる可能性があることである。
【発明の概要】
【発明が解決しようとする課題】
【０００９】
本発明に係る実施例は、ランダムアクセスバックオフ後のランダムアクセスおよびランダムアクセスバックオフを示す方法および装置を提供し、既存のランダムアクセスバックオフメカニズムが既存のさまざまなユーザーの需要を満たすことはできないという従来技術の問題に対処する。
【課題を解決するための手段】
【００１０】
第１の態様によれば、本発明の実施例に係るランダムアクセスバックオフ後のランダムアクセス方法は、基地局にランダムアクセス要求Ｍｓｇ１を送信するステップと、基地局からのランダムアクセスバックオフインジケータを受信ステップであって、前記ランダムアクセスバックオフインジケータは、異なる種類の端末が異なるバックオフパラメーターを適用して、ランダムアクセスが失敗した後にランダムアクセスを再開することを示す前記受信ステップと、前記ランダムアクセスバックオフインジケータに従ってランダムアクセスを開始するステップとを備える。
【００１１】
選択的に、前記ランダムアクセスバックオフインジケータにおいて、デフォルトのバックオフパラメーターが０である場合、一番近接するリソースにおいてランダムアクセスを開始し、ここで、前記ランダムアクセスバックオフインジケータにおいて、特定の端末のデフォルトのバックオフパラメーターが０であり、特定の端末は、短い遅延ユーザー種類端末であるか短い遅延サービス端末である。 
【００１２】
選択的に、基地局にランダムアクセス要求Ｍｓｇ１を送信する場合、基地局によって異なる種類の端末のために事前に割り当てられた異なるランダムアクセスリソースにおいて、端末種類に従って、対応するランダムアクセスリソースにおいてランダムアクセス要求Ｍｓｇ１を送信する。
【００１３】
選択的に、前記ランダムアクセスバックオフインジケータに従ってランダムアクセスを開始する場合、基地局によって事前に設定されたランダムアクセスバックオフインジケータのＢＩパラメーターが異なる種類の端末の異なる時間値に対応する条件下で、端末種類に従って前記ランダムアクセスバックオフインジケータのＢＩパラメーターに対応する時間値を決定した後、当該時間値に従ってランダムアクセスを開始する。
【００１４】
選択的に、前記ランダムアクセスバックオフインジケータに従ってランダムアクセスを開始する場合、ランダムアクセス応答のバックオフインジケータによって示される複数のＢＩ値のうちの、端末のユーザー需要および/または端末種類に従って決定されたＢＩ値に基づいて、ランダムアクセスを開始する。
【００１５】
選択的に、基地局がランダムアクセス応答のバックオフインジケータによって複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【００１６】
選択的に、前記端末は、端末種類、端末ユーザーサービスのサービス品質識別子（Ｑｕａｌｉｔｙ ｏｆ Ｓｅｒｖｉｃｅ Ｃｌａｓｓ Ｉｎｄｉｃａｔｏｒ，ＱＣＩ）需要、端末サービスのＱＣＩ需要、前記端末が所属するネットワーク、前記端末サービスが所属するネットワーク、前記端末が所属するＲＡＮ側のスライス（ｓｌｉｃｅ）、および前記端末サービスが所属するＲＡＮ側のスライス（ｓｌｉｃｅ）のうちの１つまたはそれらの任意の組み合わせに従って分類され、および/または、端末のサービスが複数ある場合、ランダムアクセスをトリガーするためのサービス需要を端末の現在需要として決定し、サービス需要に従って端末を分類する。 
【００１７】
選択的に、基地局が端末に示したバックオフしきい値を受信し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、基地局が端末に示したアクセス係数を受信し、アクセス係数に従ってＢＩ値を修正し、ここで、基地局によって示されるアクセス係数は、端末に必要な遅延が大きいほど、前記アクセス係数によって示される端末アクセス確率が高くなる。
【００１８】
第２の態様によれば、本発明の実施例に係るランダムアクセスバックオフを示す方法は、基地局は、端末からのランダムアクセス要求Ｍｓｇ１を受信するステップと、ランダムアクセスバックオフインジケータを送信して、異なる種類の端末が異なるバックオフパラメーターを適用し、ランダムアクセスが失敗した後にランダムアクセスを再開する用に示すステップとを備える。
【００１９】
選択的に、前記ランダムアクセスバックオフインジケータにおいて、特定の端末のデフォルトのバックオフパラメーターが０であり、当該特定の端末は、短い遅延ユーザー種類端末であるか短い遅延サービス端末である。 
【００２０】
選択的に、前記ランダムアクセスバックオフインジケータは、ランダムアクセス要求を受信するランダムアクセスリソースに従って対応する種類および要求の端末のために割り当てられ、ここで、基地局は、異なる種類の端末のために異なるランダムアクセスリソースを事前に割り当てる。
【００２１】
選択的に、前記ランダムアクセスバックオフインジケータのＢＩパラメーターは、異なる種類の端末の異なる時間値に対応する。
【００２２】
選択的に、基地局ランダムアクセス応答のランダムアクセスバックオフインジケータ内の複数のＢＩ値を示し、前記ＢＩ値は、端末のユーザー需要および/または端末種類に従って決定される。
【００２３】
選択的に、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【００２４】
選択的に、基地局がランダムアクセスバックオフインジケータを送信する前に、端末を分類し、異なる種類の端末に異なるバックオフパラメーターを適用させ、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）、および前記端末サービスが所属するＲＡＮ側のスライス（ｓｌｉｃｅ）のうちの１つまたはそれらの任意の組み合わせに従って端末を分類し、および/または、端末のサービスが複数ある場合、ランダムアクセスをトリガーするためのサービス需要を端末の現在需要として決定し、サービス需要に従って端末を分類する。
【００２５】
選択的に、基地局は、端末種類を決定した後、前記端末種類に対応するＢＩ値を選択し、ランダムアクセス応答のバックオフインジケータによってＢＩ値を示す場合、端末にバックオフしきい値を示し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、端末にアクセス係数を示し、端末に必要な遅延が大きいほど前記アクセス係数によって示される端末アクセス確率が高くなる。
【００２６】
第３の態様によれば、本発明の実施例に係るランダムアクセスバックオフ後のランダムアクセス装置は、基地局にランダムアクセス要求Ｍｓｇ１を送信するための送信モジュールと、基地局からのランダムアクセスバックオフインジケータを受信するための受信モジュールであって、前記ランダムアクセスバックオフインジケータは、異なる種類の端末が異なるバックオフパラメーターを適用して、ランダムアクセスが失敗した後にランダムアクセスを再開することを示す前記受信モジュールを備え、前記送信モジュールは、さらに、前記ランダムアクセスバックオフインジケータに従ってランダムアクセスを開始する。
【００２７】
選択的に、前記送信モジュールは、さらに、前記ランダムアクセスバックオフインジケータにおいて、デフォルトのバックオフパラメーターが０である場合、一番近接するリソースにおいてランダムアクセスを開始し、ここで、前記ランダムアクセスバックオフインジケータにおいて、特定の端末のデフォルトのバックオフパラメーターが０であり、特定の端末は、短い遅延ユーザー種類端末であるか短い遅延サービス端末である。 
【００２８】
選択的に、送信モジュールは、さらに、基地局にランダムアクセス要求Ｍｓｇ１を送信する場合、基地局によって異なる種類の端末のために事前に割り当てられた異なるランダムアクセスリソースにおいて、端末種類に従って、対応するランダムアクセスリソースにおいてランダムアクセス要求Ｍｓｇ１を送信する。
【００２９】
選択的に、送信モジュールは、さらに、前記ランダムアクセスバックオフインジケータに従ってランダムアクセスを開始する場合、基地局によって事前に設定されたランダムアクセスバックオフインジケータのＢＩパラメーターが、異なる種類の端末の異なる時間値に対応する条件下で、端末種類に従って前記ランダムアクセスバックオフインジケータのＢＩパラメーターに対応する時間値を決定した後、当該時間値に従ってランダムアクセスを開始する。
【００３０】
選択的に、送信モジュールは、さらに、前記ランダムアクセスバックオフインジケータに従ってランダムアクセスを開始する場合、ランダムアクセス応答のバックオフインジケータによって示される複数のＢＩ値のうちの、端末のユーザー需要および/または端末種類に従って決定されたＢＩ値に基づいて、ランダムアクセスを開始する。
【００３１】
選択的に、送信モジュールは、さらに、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【００３２】
選択的に、前記端末は、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）および前記端末サービスが所属するＲＡＮ側のスライス（ｓｌｉｃｅ）のうちの１つまたはそれらの組み合わせに従って分類され、および/または、端末のサービスが複数ある場合、ランダムアクセスをトリガーするためのサービス需要を端末の現在需要として決定し、サービス需要に従って分類される。 
【００３３】
選択的に、受信モジュールは、さらに、基地局が端末に示さすバックオフしきい値を受信し、送信モジュールは、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、受信モジュールは、基地局が端末に示したアクセス係数を受信し、送信モジュールは、アクセス係数に従ってＢＩ値を修正し、ここで、基地局によって示されるアクセス係数は、端末に必要な遅延が大きいほど、前記アクセス係数によって示される端末アクセス確率が高くなる。
【００３４】
第４の態様によれば、本発明の実施例に係るランダムアクセスバックオフを示す装置は、端末からのランダムアクセス要求Ｍｓｇ１を受信するための要求受信モジュールと、ランダムアクセスバックオフインジケータを送信し、異なる種類の端末が異なるバックオフパラメーターを適用し、ランダムアクセスが失敗した後にランダムアクセスを再開することを示す指示モジュールとを備える。
【００３５】
選択的に、指示モジュールは、さらに、前記ランダムアクセスバックオフインジケータにおいて、特定の端末のデフォルトのバックオフパラメーターが０であり、当該特定の端末は、短い遅延ユーザー種類端末であるか短い遅延サービス端末である。 
【００３６】
選択的に、前記ランダムアクセスバックオフインジケータは、ランダムアクセス要求を受信するランダムアクセスリソースに従って対応する種類および要求の端末のために割り当てられ、ここで、異なる種類の端末のために異なるランダムアクセスリソースを事前に割り当てる。
【００３７】
選択的に、前記ランダムアクセスバックオフインジケータのＢＩパラメーターは、異なる種類の端末の異なる時間値に対応する。
【００３８】
選択的に、指示モジュールは、さらに、ランダムアクセス応答のランダムアクセスバックオフインジケータ内の複数のＢＩ値を示し、前記ＢＩ値は、端末のユーザー需要および/または端末種類に従って決定される。
【００３９】
選択的に、指示モジュールは、さらに、ランダムアクセス応答のバックオフインジケータによって複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【００４０】
選択的に、指示モジュールは、さらに、ランダムアクセスバックオフインジケータが送信される前に、端末を分類し、異なる種類の端末に異なるバックオフパラメーターを適用させ、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）および前記端末サービスが所属するＲＡＮ側のスライス（ｓｌｉｃｅ）のうちの１つまたはそれらの組み合わせに従って端末を分類し、および/または、端末のサービスが複数ある場合、ランダムアクセスをトリガーするためのサービス需要を端末の現在需要として決定し、サービス需要に従って端末を分類する。
【００４１】
選択的に、指示モジュールは、さらに、端末種類を決定した後、前記端末種類に対応するＢＩ値を選択し、ランダムアクセス応答のバックオフインジケータによってＢＩ値を示す場合、端末にバックオフしきい値を示し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、端末にアクセス係数を示し、端末に必要な遅延が大きいほど前記アクセス係数によって示される端末アクセス確率が高くなる。
【００４２】
第５の態様によれば、本発明の実施例に係る端末は、プロセッサと、送受信機と、メモリとを備え、前記送受信機は、前記プロセッサの制御下でデータを送受信し、前記プロセッサは、前記メモリ内のプログラムを読み取って第１の態様によるいずれか１つの前記方法を実行するように構成される。
【００４３】
第６の態様によれば、本発明の実施例に係る基地局は、プロセッサと、送受信機と、メモリとを備え、前記送受信機は前記プロセッサの制御下でデータを送受信し、前記プロセッサは、前記メモリ内のプログラムを読み取って第２の態様によるいずれか１つの前記方法を実行するように構成される。
【００４４】
第７の態様によれば、第１の態様のいずれか１項に記載の方法をコンピュータに実行させるように構成されたコンピュータ実行可能命令を記憶するコンピュータ記憶媒体。
【００４５】
第８の態様によれば、第２の態様のいずれか１項に記載の方法をコンピュータに実行させるように構成されたコンピュータ実行可能命令を記憶するコンピュータ記憶媒体。
【発明の効果】
【００４６】
本発明の実施形態による技術的解決策では、基地局は、ランダムアクセスバックオフインジケータを送信することを決定する場合、異なる種類の端末が異なるバックオフパラメーターを適用することができるので、ランダムアクセスが失敗した後にランダムアクセスを再開することができ、一方、端末は、自分の種類および/または基地局からのランダムアクセスバックオフインジケータに従ってランダムアクセスを開始することができる。バックオフおよびランダムアクセスの開始において、端末種類などのユーザー需要を考慮して実行されるため、既存のランダムアクセスバックオフメカニズムが既存のさまざまなユーザーの需要を満たせないという問題に対処でき、さらに、端末がネットワークに迅速にアクセスしない可能性があり、その結果、後続のサービスデータの送信がブロックされる可能性があるという問題にさらに対処できる。
【図面の簡単な説明】
【００４７】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】背景技術における競合ベースのランダムアクセスの概略フローチャートである。
【図２】背景技術における非競合ベースのランダムアクセスの概略フローチャートである。
【図３】背景技術におけるＥ/Ｔ/Ｒ/Ｒ/ＢＩ ＭＡＣサブヘッダーの構成図である。
【図４】本発明の実施例による基地局側の、ランダムアクセスバックオフを示す方法の実施の概略フローチャートである。
【図５】本発明の実施例による端末側の、ランダムアクセスバックオフ後のランダムアクセス方法の実施の概略フローチャートである。
【図６】本発明の実施例による複数のＢＩ値を含むＭＡＣサブヘッダー１の概略図である。
【図７】本発明の実施例による複数のＢＩ値を含むＭＡＣサブヘッダー２の概略図である。
【図８】本発明の実施例による端末側の、ランダムアクセスバックオフ後のランダムアクセス装置の構成図である。
【図９】本発明の実施例による基地局側ランダムアクセスバックオフを示す装置の構成図である。
【図１０】本発明の実施例による基地局の構成図である。
【図１１】本発明の実施例による端末の構成図である。
【発明を実施するための形態】
【００４８】
本願発明の発明者らは、以下のことに気づいた。
既存のランダムアクセスバックオフメカニズムは、すべての端末に適用されるが、異なる端末に必要な異なる信頼できる遅延が存在するように、次世代の無線（ｎｅｘｔ ｇｅｎｅｒａｔｉｏｎ Ｒａｄｉｏ，ＮＲ）システムに多様なユーザ需要が導入される。高速アクセスが必要なユーザー、たとえば、超高信頼低遅延通信（Ｕｌｔｒａ Ｒｅｌｉａｂｌｅ ＆ Ｌｏｗ Ｌａｔｅｎｃｙ Ｃｏｍｍｕｎｉｃａｔｉｏｎ，ＵＲＬＬＣ）ユーザーは、このメカニズムではネットワークにすばやくアクセスできないため、後続のサービスデータの送信がブロックされる可能性がある。
【００４９】
ここで、本発明の実施例では、ＮＲシステムにおける端末およびサービス需要の多様性を満たすための技術的解決策を提供し、この解決策により、ランダムアクセスが失敗した後に後続のランダムアクセスを効率的に開始できる。短い遅延が要求される端末への迅速なアクセスを保証できるが、ランダムアクセスリソースに均一にアクセスして、ランダムアクセスの衝突確率を下げ、ランダムアクセスの成功率を最大化することもできる。本発明の特定の実施形態を、図面を参照して以下に説明する。
【００５０】
以下の説明では、端末側および基地局側での実施をそれぞれ説明し、いくつかの技術的解決策は端末側のみで実施され、いくつかの技術的解決策ンは基地局側のみで実施され、いくつかの技術的解決策は、以下に説明するように、端末側と基地局側の両方で実施される。そして、本発明の実施形態による解決策の実施のより良い理解のために、実施の例がさらに説明される。
【００５１】
図４は基地局側ランダムアクセスバックオフを示す方法の実施の概略フローチャートである。図に示すように、以下のステップを備える。
ステップ４０１において、基地局は、端末からのランダムアクセス要求を受信する。前記ランダムアクセス要求はＭｓｇ１メッセージである。
ステップ４０２において、基地局は、ランダムアクセスバックオフインジケータを送信し、前記ランダムアクセスバックオフインジケータは、異なる種類の端末が異なるバックオフパラメーターを適用して、ランダムアクセスが失敗した後にランダムアクセスを再開することを示す。
【００５２】
図５は、端末側ランダムアクセスバックオフ後のランダムアクセス方法の実施の概略フローチャートである。図に示すように、以下のステップを備える。 
ステップ５０１において、端末は、基地局にランダムアクセス要求を送信する。前記ランダムアクセス要求は、Ｍｓｇ１メッセージである。
ステップ５０２において、端末は、基地局からのランダムアクセスバックオフインジケータを受信する。前記ランダムアクセスバックオフインジケータは、異なる種類の端末が異なるバックオフパラメーターを適用して、ランダムアクセスが失敗した後にランダムアクセスを再開することを示す。
ステップ５０３において、端末は、ランダムアクセスバックオフインジケータに従ってランダムアクセスを開始する。
【００５３】
一実施形態において、異なる需要を有する端末は、ランダムアクセスが失敗した後に異なるバックオフパラメータを適用し、それにより、短い遅延を有する端末がネットワークに迅速にアクセスできるようになる。
【００５４】
一実施形態では、基地局がランダムアクセスバックオフインジケータを送信する前に、基地局はさらに、端末を分類し、異なる種類の端末に異なるバックオフパラメーターを適用させ、ここで、端末を分類する場合、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）および前記端末サービスが所属するＲＡＮ側のスライスのうちの１つまたはそれらの組み合わせに従って端末を分類する。および/または、端末のサービスが複数ある場合、基地局は、ランダムアクセスをトリガーするためのサービス需要を端末の現在需要として決定し、サービス需要に従って端末を分類する。
【００５５】
具体的に、特に、端末は、異なるバックオフパラメータが端末の異なるカテゴリに適用可能であるように、以下の方式の１つ以上で分類される。
【００５６】
＜方式１＞端末は異なるように分類され、異なるバックオフパラメータは、端末の異なる種類（ｃａｔｅｇｏｒｙ）に適用可能であり、それらは、端末種類、前記端末または前記端末サービスのＱＣＩ需要、前記端末または前記端末サービスが所属するネットワークまたはＲＡＮ側のスライスである。
【００５７】
端末は、端末種類、例えば、拡張マシンタイプコミュニケーション（Ｅｎｈａｎｃｅｄ Ｍａｃｈｉｎｅ Ｔｙｐｅ Ｃｏｍｍｕｎｉｃａｔｉｏｎｓ，ｅＭＴＣ）種類端末またはＵＲＬＬＣ種類端末、および/または、前記端末または前記端末サービスのＱＣＩ需要、および/または、前記端末または前記端末サービスが所属するネットワークまたはＲＡＮ（Ｒａｄｉｏ  Ａｃｃｅｓｓ  Ｎｅｔｗｏｒｋ，無線アクセスネットワーク）側のスライス（ｓｌｉｃｅ）などに従って分類される。短い遅延の端末、または短い遅延サービスの端末は、優先度の高い端末として定義できる。
【００５８】
＜方式２＞端末のサービスが複数ある場合、ランダムアクセスをトリガーするためのサービス需要を端末の現在需要として決定し、また、端末はサービス需要に従って分類される。そして、適用可能なバックオフパラメーターが決定される。
【００５９】
端末のサービスが複数ある場合、ランダムアクセスをトリガーするためのサービス需要に従って、適用可能なバックオフパラメーターを決定する。例えば、最も短い遅延を有するバックオフパラメータは、端末に適用可能である。URLLCサービス、および長い遅延を伴うバックオフパラメータは、短い遅延を必要としないサービスを持つ端末にのみ適用できる
【００６０】
ランダムアクセスバックオフが基地局側で示され、および／または新しいランダムアクセスが端末側で再開されるいくつかの方式について以下に説明する。
【００６１】
方式１
当該方式において、端末のユーザー需要が短い遅延であるユーザーである場合、ＢＩは無視され、以下のように、一番近接するリソースにおいてランダムアクセスを開始する。
【００６２】
基地局側：前記ランダムアクセスバックオフインジケータにおいて、特定の端末のデフォルトのバックオフパラメーターは、０に設定され、当該特定の端末は、短い遅延ユーザー種類端末であるか短い遅延サービス端末である。
端末側：前記ランダムアクセスバックオフインジケータにおいて、デフォルトのバックオフパラメーターが０であり、前記端末が短い遅延ユーザー種類端末または短い遅延サービス種類端末である場合、一番近接するリソースにおいてランダムアクセスを開始する。
【００６３】
実施において、実施において、短い遅延の端末、すなわち、短い遅延が必要な端末については、アクセスに失敗した後、バックオフインジケータ（ｂａｃｋｏｆｆ ｉｎｄｉｃａｔｏｒ）を無視し、一番近接するリソースにおいてランダムアクセス試行を再開する。つまり、Ｍｓｇ１をすぐに送信する。このときのＢＩ ＭＡＣサブヘッダーは、図３に示すとおりである。
【００６４】
特定の実施は以下の通りであり得る。
実施例１
この例では、特定の種類端末について、端末自体はバックオフインジケータを無視することができ、またはもちろん、前記ランダムアクセスバックオフインジケータにおいて、デフォルトのバックオフパラメーターが０である場合、一番近接するリソースにおいてランダムアクセスを開始する方式を用いることができる。
【００６５】
基地局側：セル内の端末によって送信されたランダムアクセス要求（Ｍｓｇ１）が受信され、端末の密度、衝突確率およびランダムアクセスリソースの利用状況にお応じて、ランダムアクセス応答（Ｍｓｇ２）によりバックオフインジケータを送信し、ランダムアクセスで失敗した端末の次のランダムアクセスの試行開始の時間パラメーターを示す。たとえば、デフォルトのバックオフパラメーターは０に示される。
端末側：端末は、自分の端末種類を決定し、それが短いアクセス遅延が厳密に必要とされる端末である場合、バックオフパラメータを無視し、ランダムアクセスが失敗したと判断した場合に、次のランダムアクセス試行をすぐに開始する。あるいは、前記ランダムアクセスバックオフインジケータにおけるデフォルトのバックオフパラメーターが０であると判断した場合、一番近接するリソースにおいてランダムアクセスを開始する。さもないと、短い遅延を厳密に必要としない端末である場合、ランダムアクセスが失敗した後，基地局側によって送信されたＢＩパラメーターに従って、次のランダムアクセスの試行の時刻を計算して、ランダムアクセスを開始する。
【００６６】
方式２
この例では、基地局は、異なる種類の端末に異なるランダムアクセスリソースを割り当て、基地局は、ランダムアクセス要求を受信するランダムアクセスリソースに応じて、対応する種類および要求の端末にバックオフインジケータを割り当てる。
【００６７】
基地局側：
ランダムアクセスバックオフインジケータは、ランダムアクセス要求を受信するランダムアクセスリソースに従って対応する種類および要求の端末のために割り当てられる。ここで、基地局は、異なる種類の端末のために異なるランダムアクセスリソースを事前に割り当てる。
【００６８】
具体的に、基地局は、受信したＰＲＡＣＨリソース時間周波数位置に従って、ＲＡ−ＲＮＴＩを決定し、ＲＡ−ＲＮＴＩを使用して、ランダムアクセス応答ウィンドウで送信されるランダムアクセス応答をスケジュールする。当該ランダムアクセス応答に前記端末のユーザー需要に対するＢＩが含まれ、前記ＰＲＡＣＨリソース時間周波数位置は、基地局が異なる種類の端末のために事前に設定されたものである。
【００６９】
端末側：
基地局にランダムアクセス要求（Ｍｓｇ１）を送信する場合、基地局によって異なる種類の端末のために事前に割り当てられた異なるランダムアクセスリソースにおいて、端末種類に従って、対応するランダムアクセスリソースにおいてランダムアクセス要求（Ｍｓｇ１）を送信する。
【００７０】
具体的に、対応するＰＲＡＣＨリソース時間周波数位置は、端末のユーザー需要に従って決定され、当該位置でＭｓｇ１が送信され、ランダムアクセス応答ウィンドウでＲＡ−ＲＮＴＩを使用してランダムアクセス応答が受信された後、ランダムアクセス応答に含まれるＢＩに従ってランダムアクセスを開始する。
【００７１】
実施において、基地局は、異なる遅延要求のユーザーに異なるランダムアクセス時間周波数リソース（ＰＲＡＣＨリソース）を割り当てる。基地局は、受信したＰＲＡＣＨリソース時間周波数位置に従って、ＲＡ−ＲＮＴＩを決定し、バックオフインジケータ（ＢＩ）を含むランダムアクセス応答をスケジュールする。この場合、時間周波数リソースでＭｓｇ１を送信した端まのみがバックオフインジケーターに従う。このようにして、ネットワーク側は、ＰＲＡＣＨリソース位置に従って端末に必要な遅延を決定し、妥当なバックオフ時間長のパラメーターを示すことができる。まざまな遅延が必要な端末は、さまざまなＰＲＡＣＨリソースにおいてランダムアクセス要求（Ｍｓｇ１）を送信し、ランダムアクセス応答を受信するための位置とＲＡ−ＲＮＴＩを決定し、対応するＢＩを受信できる。当該技術案の場合、異なる要求の端末のランダムアクセス時間周波数リソースは、異なる。このときのＢＩ ＭＡＣサブヘッダーは、図３のようになる。
【００７２】
特定の実施は以下の通りであり得る。
実施例２
この例では、異なる要求の端末は、異なるランダムアクセスリソース（時間周波数リソース）が割り当てられ、それにより異なるＢＩ値を受信する。
【００７３】
基地局側：
ステップ１：ランダムアクセスリソースの２つ以上のグループを割り当てる。ランダムアクセスリソースの各グループは、互いに重複しない時間周波数リソース位置を含み、各グループの時間周波数リソースは、端末の１種に対応する。
ステップ２：基地局は、割り当てられたランダムアクセス時間周波数リソースにおいてランダムアクセス要求（Ｍｓｇ１）を受信し、当該ランダムアクセス時間周波数リソース位置に従って、端末種類を決定し、また、端末の要求を決定する。ここでの要求は、遅延に対する要求である。
ステップ３：基地局は、端末によってアクセスできない場合、端末がランダムアクセス要求（Ｍｓｇ１）を送信する時間周波数リソースに従ってランダムアクセス応答ウィンドウを決定する。また、当該時間周波数リソース位置に従ってＲＡ−ＲＮＴＩを計算し、ランダムアクセス応答ウィンドウでＲＡ−ＲＮＴＩを利用して送信されるランダムアクセス応答をスケジュールする。当該ランダムアクセス応答には、前記端末またはこの種の端末に対するＢＩが含まれる。
【００７４】
端末側：
ステップ１：端末は、基地局側が送信したランダムアクセスリソースの設定を受信し、ランダムアクセスリソースの異なるグループは、端末の異なる種類に対応する。
ステップ２：端末は、自分の種類およびサービス需要に従って、ランダムアクセスリソースの対応するグループから一番近接するランダムアクセス時間周波数リソースを選択し、ランダムアクセス要求を送信する。
ステップ３：端末は、ランダムアクセス要求（Ｍｓｇ１）が送信される時間周波数リソースに従って、ランダムアクセス応答ウィンドウを決定し、ランダムアクセス応答を受信するためのＲＡ−ＲＮＴＩを計算する。ランダムアクセス応答ウィンドウでＲＡ−ＲＮＴＩを使用してランダムアクセス応答を受信する。当該ランダムアクセス応答にＢＩが含まれている場合、ランダムアクセスが失敗した後に、当該ＢＩを使用して、新しいランダムアクセスの試行の開始する時刻を計算し、新しいランダムアクセスの試行を開始する。
【００７５】
方式３
この例では、基地局はバックオフインジケーターを端末に送信し、異なる種類の端末ごとにＢＩインジケーターフィールドのマッピングテーブルが異なり、同じＢＩパラメーターを端末ごとに異なる時間値にマッピングできる。
【００７６】
基地局側：
ランダムアクセスバックオフインジケータのＢＩパラメーターは、異なる種類の端末の異なる時間値に対応する。
具体的に、基地局は、ＢＩ値のバックオフ遅延パラメーター値に従ってランダムアクセスバックオフを示し、バックオフ遅延パラメーター値は、異なる種類の端末とマッピング関係を有する。
【００７７】
端末側：
前記ランダムアクセスバックオフインジケータに従ってランダムアクセスを開始する場合、基地局によって事前に設定されたランダムアクセスバックオフインジケータのＢＩパラメーターが、異なる種類の端末の異なる時間値に対応する条件下で、端末種類に従って前記ランダムアクセスバックオフインジケータのＢＩパラメーターに対応する時間値を決定した後、当該時間値に従ってランダムアクセスを開始する。
【００７８】
具体的に、ＢＩ値におけるバックオフ遅延パラメータの値は、端末種類とバックオフ遅延パラメータの値との間のマッピング関係に従って計算され、当該バックオフ遅延パラメーター値に従って決定された時刻で、ランダムアクセスが開始される。
【００７９】
基地局は、異なる要求の端末のバックオフ遅延パラメータの異なる値にマッピングされたＢＩ値を示し、例えば、ＢＩ=１の場合、従来のＬＴＥで１０ｍｓを表し、ＮＲでは、短い遅延端末の場合、より短い遅延、たとえば１ｍｓを表し得る。
【００８０】
特定の実施は以下の通りであり得る。
実施例３
この例では、異なる要求の端末は、同じＢＩ値を異なる時間値にマッピングする。
【００８１】
基地局側：セル内の端末によって送信されたランダムアクセス要求（Ｍｓｇ１）が受信され、端末の密度、衝突確率およびランダムアクセスリソースの利用状況にお応じて、Ｍｓｇ２ランダムアクセス応答においてバックオフインジケータＭｓｇ２で送信される。ランダムアクセスで失敗した端末の、次のランダムアクセスで試行を開始するため時間パラメーターを示す。
【００８２】
端末側：端末は、自分の端末種類を判断し、端末種類に従ってＢＩフィールドに対応するバックオフ遅延パラメータを計算し、例えば、ＢＩ=１の場合、短い遅延が不要な端末によって１０ｍｓとして解釈され、短い遅延が必要な端末によって１ｍｓとして解釈される。端末は、ランダムアクセスが失敗した後、解釈されたバックオフ遅延パラメーターに従って、ランダムアクセスの試行を再開する時間を計算し、新しいランダムアクセスの試行を開始する。
【００８３】
本実施例の基地局は端末種類を知る必要がない。
【００８４】
方式４
この例では、基地局ランダムアクセス応答のランダムアクセスバックオフインジケータ内の複数のＢＩ値を示し、前記ＢＩ値は、端末のユーザー需要および/または端末種類に従って決定される。
【００８５】
特に上述したように端末は、異なるバックオフパラメータが端末の異なる種類に適用されるように分類され、すなわち、端末は異なる種類に分類され、異なる種類（category）の端末は、異なるバックオフパラメーターを使用して、つまり、端末種類、前記端末または前記端末サービスのＱＣＩ需要、および前記端末または前記端末サービスが所属するネットワークまたはＲＡＮ側のスライス（ｓｌｉｃｅ）のうちの１つまたはそれらの組み合わせに従って分類される。および/または、端末のサービスが複数ある場合、ランダムアクセスをトリガーするためのサービス需要を端末の現在需要として決定し、これにより端末種類を定義し、適用可能なバックオフパラメーターを決定する。
【００８６】
基地局側：
基地局は、ランダムアクセス応答のランダムアクセスバックオフインジケータ内の複数のＢＩ値を示し、前記ＢＩ値は、端末のユーザー需要および/または端末種類に従って決定される。
【００８７】
端末側：
前記ランダムアクセスバックオフインジケータに従ってランダムアクセスを開始する場合い、ランダムアクセス応答のバックオフインジケータによって示される複数のＢＩ値のうちの、端末のユーザー需要および/または端末種類に従って決定されたＢＩ値に基づいて、ランダムアクセスを開始する。
【００８８】
実施において、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【００８９】
あるいは、実施において、端末のカテゴリの端末優先度インジケータ、および端末の種類に対応するＢＩパラメータは、ＭＡＣサブヘッダで搬送され得る。
【００９０】
実施において、基地局は、ランダムアクセス応答のバックオフインジケータで複数のＢＩ値を示し、当該ＢＩ値に対応する端末種類（ｃａｔｅｇｏｒｙ）を指定する。この方式では、ＢＩ ＭＡＣサブヘッダーを修正し、こうして、複数のＢＩ値を示す。図６は、複数のＢＩ値を示すＭＡＣサブヘッダー１の概略図であり、図７は、複数のＢＩ値を示すＭＡＣサブヘッダ２の概略図である。複数のＢＩ値を示すＭＡＣサブヘッダーは、図６または図７に示すとおりである。図６では、２つのＢＩフィールドが運ばれ、「P」は、端末に対応する種類または端末優先度を表し、「ＢＩ１」と「ＢＩ２」は、異なる種類の端末のバックオフインジケータを表す。図７では、1つ以上のバックオフインジケータが存在する場合があり、「Ｅ１」フィールドは、別の後続のＢＩ値があるかどうかを示す。
【００９１】
特定の実施は以下の通りであり得る。
実施例４
この例では、ランダムアクセス応答には異なる要求の端末に対する複数のＢＩ値が含まれ、たとえば、ＢＩ ＭＡＣサブヘッダーは、図６または図７を参考することができる。
【００９２】
基地局側：セル内の端末からのランダムアクセス要求（Ｍｓｇ１）を受信し、端末の密度、衝突確率およびランダムアクセスリソースの利用状況にお応じて、ランダムアクセス応答（Ｍｓｇ２）によりバックオフインジケータを送信し、異なる種類の端末ランダムアクセスが失敗した後、次のランダムアクセスの試行を開始する時間パラメーターを示す。ＢＩ ＭＡＣサブヘッダーには端末種類優先度インジケータおよびそれぞれの優先度に対応するＢＩパラメーターが含まれ、異なる端末種類に対応するＢＩパラメーターがマッピングされる実際の遅延パラメータの値は、同じでも異なっていてもよい。別の言い方をすれば、基地局がランダムアクセス応答のバックオフインジケータによって、複数のＢＩ値を示す場合、ＭＡＣサブヘッダーにおいて前記端末のユーザー需要の優先度インジケータおよび当該優先度に対応するＢＩパラメーターを運ぶことにより、前記端末のＢＩ値を示す。
端末側：端末は、自分の端末種類を判断し、端末種類およびその優先度に従って対応のＢＩフィールドを読み取り、それをバックオフ遅延パラメーターの値にマッピングする。端末は、ランダムアクセスが失敗した後、取得したバックオフ遅延パラメーターに従ってランダムアクセスの試行を再開する時間を計算し、新しいランダムアクセスの試行を開始する。言い換えると、端末のユーザー需要とＢＩ値との対応関係に従って前記端末のＢＩ値を決定し、また、当該ＢＩ値に従ってランダムアクセスを開始する場合、ＭＡＣサブヘッダーに含まれる端末のユーザー需要の優先度インジケータおよび当該優先度に対応するＢＩパラメーターに従って前記端末のＢＩ値を決定する。
【００９３】
方式５
基地局側：
基地局は、端末種類を決定した後、前記端末種類に対応するＢＩ値を選択し、ランダムアクセス応答のバックオフインジケータによってＢＩ値を示す場合、さらに、端末にバックオフしきい値を示し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、端末にアクセス係数を示し、端末に必要な遅延が大きいほど前記アクセス係数によって示される端末アクセス確率が高くなる。
【００９４】
端末側：
また、基地局が端末に示したバックオフしきい値を受信する。端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、基地局が端末に示したアクセス係数を受信し、アクセス係数に従ってＢＩ値を修正する。ここで、基地局によって示されるアクセス係数は、端末に必要な遅延が大きいほど、前記アクセス係数によって示される端末アクセス確率が高くなる。
【００９５】
実施において、複数のＢＩ値が端末の異なる種類に導入された後、ランダムアクセスリソースが不均一にアクセスされるため、ランダムアクセス要求（Ｍｓｇ１）の衝突確率が高くなるという問題があり得る。また、たとえば、短い遅延の端末と通常の遅延の両方が、この時刻のバックオフインジケーターを受信し、ランダムアクセスで失敗し、ランダムアクセスを開始する必要があるため、Ｍｓｇ１が開始される確率は１／Ｔ１＋１／Ｔ２である。Ｔ１−Ｔ２の期間の任意の時点で、ランダムアクセスが失敗した後のＴ１からＴ２の期間の任意の時点で、Ｍｓｇ１が開始される確率は１／Ｔ２である。この問題に対処するために、次の方式のいずれかは採用できる。
【００９６】
方式１：Ｍｓｇ１を再送するための時間の時刻は、ＢＩによって示される異なるバックオフ値のための異なるアルゴリズムで選択される。また、たとえば、バックオフしきい値Ｔｈが設定され、ＢＩに対応するバックオフ値ＴがＴｈを下回る場合、Ｍｓｇ１を再送する時間の時刻が均一分散アルゴリズムで計算されるか、ＴがＴｈを上回る場合、 Ｍｓｇ１を再送信する時間は、非均一分散アルゴリズムで計算されるため、時間の最初の部分で時間の時刻が選択される確率は、最後の時間で時刻が選択される確率よりも低くなる。
方式２：アクセス係数Fが導入されてバックオフパラメーターを修正する。短い遅延ユーザーのアクセス係数が大きい、たとえば、１となる。期間の前半に短い遅延を厳密に必要としないユーザーのアクセス係数が小さいため、期間の前半にランダムアクセスが開始される可能性が低くなる。ＢＩ値が１つしかない場合、アクセス係数はすべての端末で１になる。
【００９７】
特定の実施は以下の通りであり得る。
実施例５
この例では、異なる要求の端末は、異なるアルゴリズムで（しきい値に依存して）ランダムアクセスを再開するための時間の時刻を選択する。
【００９８】
実施において、端末のユーザ要求が決定された後、基地局は、ユーザ要求に対応するＢＩ値を選択し、ランダムアクセス応答のバックオフインジケータによってＢＩ値を示す場合、基地局は、端末にバックオフしきい値を示す。端末は、前記端末のＢＩパラメーターが前記バックオフしきい値を下回っている場合、均一分散アルゴリズムでランダムアクセスを再開する時刻を計算し、前記端末のＢＩパラメーターが前記バックオフしきい値を上回る場合、非均一分散アルゴリズムでランダムアクセスを再開する時刻を計算する。
【００９９】
端末が、端末のユーザ要求と、ＢＩ値および時間アルゴリズムのランダムアクセス時刻との間の対応関係に従ってランダムアクセスを開始するとき、端末は、基地局によって端末に示されたバックオフしきい値を受信する。端末は、前記端末のＢＩパラメーターが前記バックオフしきい値を下回る場合、均一分散アルゴリズムでランダムアクセスを再開する時刻を計算し、前記端末のＢＩパラメーターが前記バックオフしきい値を上回る場合、非均一分散アルゴリズムでランダムアクセスを再開する時刻を計算する。
【０１００】
ステップ１：端末は、バックオフインジケータアルゴリズムのしきい値ＢＩＴｈを受信する。当該しきい値は、システムメッセージまたはランダムアクセス応答で運ばれ得る。
ステップ２：端末は、ランダムアクセスを開始し、ＢＩパラメータが受信された場合、それに対応するバックオフ遅延パラメータを計算して保存する。
ステップ３：端末は、ランダムアクセスが失敗した後は、受信したＢＩパラメーターをしきい値ＢＩＴｈと比較し、ＢＩパラメータがしきい値を下回る場合、均一分散アルゴリズムでで次のランダムアクセスの試行時刻を計算し、しきい値を上回る場合、非均一分散アルゴリズムを利用するため、現在のランダムアクセスが失敗した時間の時刻に最も近い時点が選択される確率は、現在のランダムアクセスが失敗する時間の時刻から遠く離れた時間が選択される確率より低い。
【０１０１】
実施例６
この例では、異なる要求の端末は、（複数のＢＩパラメータがあるかどうかに応じて）異なるアルゴリズムでランダムアクセスを再開するための時間の時刻を選択する）。
【０１０２】
実施において、端末のユーザ要求が決定された後、基地局は、ユーザ要求に対応するＢＩパラメータ値を選択し、ランダムアクセス応答のバックオフインジケータによってＢＩ値を示す場合、基地局は、端末にアクセス係数をさらに示す。端末に必要な遅延が短い場合は、アクセス係数が高くなる。
【０１０３】
端末が、端末のユーザ要求と、ＢＩ値および時間アルゴリズムのランダムアクセスインスタンスとの間の対応関係に従ってランダムアクセスを開始すると、端末は、基地局が端末に示したアクセス係数を受信し、アクセス係数に従って前記端末のＢＩパラメーター値を修正する。
【０１０４】
ステップ１：端末は、ランダムアクセスを開始する。、複数のＢＩフィールドを運ぶランダムアクセス応答が受信された場合、端末種類に従って前記端末の有効なＢＩフィールドを決定する。また、マッピング規則に従って当該ＢＩフィールドに対応するバックオフ遅延パラメーター値を決定する。
ステップ２：ランダムアクセスが失敗した後、より小さい値を有するバックオフ遅延パラメータが端末の種類に適用可能である場合、端末は、均一分散アルゴリズムで次のランダムで試行を開始するための時間の時刻を計算し得る。より大きな値のバックオフ遅延パラメーターが端末の種類に適用できる場合、端末は、非均一分散アルゴリズムで次のランダムで試行を開始するための時間の時刻を計算し、こうして、現在のランダムアクセスが失敗した時点に最も近い時点が選択される確率が、現在のランダムアクセスが発生した時点から遠い時点が選択される確率よりも低くなる。
【０１０５】
同じ発明思想に基づいて、本発明の実施例には、長期進化アドバンスドマルチキャリアシステムにおける基地局側装置、端末および長期進化アドバンスドマルチキャリアシステムをさらに提供する。これらの装置の課題解決権利は、長期進化アドバンスドマルチキャリアシステムにおいて、アップリンク制御チャネルための予約リソースを動的に割り当てる方法と類似するため、これらの装置の実施は、方法の実施を参照すればよいので、それらの繰り返しの説明はここでは省略する。
【０１０６】
図８は端末側の、ランダムアクセスバックオフ後のランダムアクセス装置の構成図である。図に示すように、当該装置は、基地局にランダムアクセス要求Ｍｓｇ１を送信するための送信モジュール８０１と、基地局からのランダムアクセスバックオフインジケータを受信するための受信モジュール８０２であって、前記ランダムアクセスバックオフインジケータは、異なる種類の端末が異なるバックオフパラメーターを適用して、ランダムアクセスが失敗した後にランダムアクセスを再開することを示す前記受信モジュール８０２とを備える。
【０１０７】
前記送信モジュール８０１は、さらに、前記ランダムアクセスバックオフインジケータに従ってランダムアクセスを開始する。
【０１０８】
実施において、送信モジュールは、さらに、前記ランダムアクセスバックオフインジケータにおいて、デフォルトのバックオフパラメーターが０である場合、一番近接するリソースにおいてランダムアクセスを開始する。ここで、前記ランダムアクセスバックオフインジケータにおいて、特定の端末のデフォルトのバックオフパラメーターが０であり、特定の端末は、短い遅延ユーザー種類端末であるか短い遅延サービス端末である。 
【０１０９】
実施において、送信モジュールは、さらに、基地局にランダムアクセス要求Ｍｓｇ１を送信する場合、基地局によって異なる種類の端末のために事前に割り当てられた異なるランダムアクセスリソースにおいて、端末種類に従って、対応するランダムアクセスリソースにおいてランダムアクセス要求Ｍｓｇ１を送信する。
【０１１０】
実施において、送信モジュールは、さらに、前記ランダムアクセスバックオフインジケータに従ってランダムアクセスを開始する場合、基地局によって事前に設定されたランダムアクセスバックオフインジケータのＢＩパラメーターが、異なる種類の端末の異なる時間値に対応する条件下で、端末種類に従って前記ランダムアクセスバックオフインジケータのＢＩパラメーターに対応する時間値を決定した後、当該時間値に従ってランダムアクセスを開始する。
【０１１１】
実施において、送信モジュールは、さらに、前記ランダムアクセスバックオフインジケータに従ってランダムアクセスを開始する場合、ランダムアクセス応答のバックオフインジケータによって示される複数のＢＩ値のうちの、端末のユーザー需要および/または端末種類に従って決定されたＢＩ値に基づいて、ランダムアクセスを開始する。
【０１１２】
実施において、送信モジュールは、さらに、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【０１１３】
実施において、前記端末は、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）、および前記端末サービスが所属するＲＡＮ側のスライス（ｓｌｉｃｅ）のうちの１つまたはそれらの任意の組み合わせによって分類される。および/または、端末のサービスが複数ある場合、ランダムアクセスをトリガーするためのサービス需要を端末の現在需要として決定し、サービス需要に従って端末を分類する。 
【０１１４】
実施において、受信モジュールは、さらに、基地局が端末に示さすバックオフしきい値を受信し、送信モジュールは、さらに、前記バックオフしきい値より小さい場合、均一分散アルゴリズムでランダムアクセスを再開する時刻を計算する。前記バックオフしきい値より大きい場合、非均一分散アルゴリズムでランダムアクセスを再開する時刻を計算する。または、受信モジュールは、さらに、基地局が端末に示したアクセス係数を受信し、送信モジュールは、さらに、アクセス係数に従ってＢＩ値を修正する。基地局によって示されるアクセス係数は、端末に必要な遅延が大きいほど、前記アクセス係数によって示される端末アクセス確率が高くなる。
【０１１５】
図９は基地局側ランダムアクセスバックオフを示す装置の構成図である。図に示すように、当該装置は、 
端末によって送信されたランダムアクセス要求Ｍｓｇ１を受信するための要求受信モジュール９０１と、
ランダムアクセスバックオフインジケータを送信し、異なる種類の端末が異なるバックオフパラメーターを適用し、ランダムアクセスが失敗した後にランダムアクセスを再開することを示す指示モジュール９０２とを備える。
【０１１６】
実施において、指示モジュールは、さらに、前記ランダムアクセスバックオフインジケータにおいて、特定の端末のデフォルトのバックオフパラメーターが０であり、当該特定の端末は、短い遅延ユーザー種類端末であるか短い遅延サービス端末である。 
【０１１７】
実施において、前記ランダムアクセスバックオフインジケータは、ランダムアクセス要求を受信するランダムアクセスリソースに従って対応する種類および要求の端末のために割り当てられる。ここで、異なる種類の端末のために異なるランダムアクセスリソースを事前に割り当てる。
【０１１８】
実施において、前記ランダムアクセスバックオフインジケータのＢＩパラメーターは、異なる種類の端末の異なる時間値に対応する。
【０１１９】
実施において、指示モジュールは、さらに、ランダムアクセス応答のランダムアクセスバックオフインジケータ内の複数のＢＩ値を示し、ＢＩ値は、端末のユーザー需要および/または端末種類に従って決定される。
【０１２０】
実施において、指示モジュールは、さらに、ランダムアクセス応答のバックオフインジケータで複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【０１２１】
実施において、指示モジュールは、さらに、ランダムアクセスバックオフインジケータが送信される前に、端末を分類し、異なる種類の端末に異なるバックオフパラメーターを適用させル。具体的には、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）および前記端末サービスが所属するＲＡＮ側のスライス（ｓｌｉｃｅ）のうちの１つまたはそれらの任意の組み合わせによって端末を分類する。および/または、端末のサービスが複数ある場合、ランダムアクセスをトリガーするためのサービス需要を端末の現在需要として決定し、サービス需要に従って端末を分類する。
【０１２２】
実施において、指示モジュールは、さらに、端末種類を決定した後、前記端末種類に対応するＢＩ値を選択し、ランダムアクセス応答のバックオフインジケータによってＢＩ値を示す場合、端末にバックオフしきい値を示し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、端末にアクセス係数を示し、端末に必要な遅延が大きいほど前記アクセス係数によって示される端末アクセス確率が高くなる。
【０１２３】
説明の便宜ために、上記の装置のそれぞれのコンポーネントは、それぞれのモジュールまたはユニットとしてそれぞれ機能的に説明されている。もちろん、それぞれのモジュールまたはユニットの機能は、本発明の実施において、同じ1つまたは複数のソフトウェアまたはハードウェアで実行することができる。
【０１２４】
本発明の実施形態による技術的解決策は、以下のように実施することができる。
【０１２５】
図１０は基地局の構成図である。図に示すように、基地局は、メモリ１０２０内のプログラムを読み出して、送受信機のニーズに応じてデータを処理するためのプロセッサ１０００と、プロセッサ１０００の制御でデータを送受信するための送受信機１０１０とを備える。
【０１２６】
前記送受信機１０１０は、端末によって送信されたランダムアクセス要求Ｍｓｇ１を受信し、ランダムアクセスバックオフインジケータを送信し、異なる種類の端末が異なるバックオフパラメーターを適用し、ランダムアクセスが失敗した後にランダムアクセスを再開することを示す。
【０１２７】
実施において、前記ランダムアクセスバックオフインジケータにおいて、特定の端末のデフォルトのバックオフパラメーターが０であり、当該特定の端末は、短い遅延ユーザー種類端末であるか短い遅延サービス端末である。 
【０１２８】
実施において、前記ランダムアクセスバックオフインジケータは、ランダムアクセス要求を受信するランダムアクセスリソースに従って対応する種類および要求の端末のために割り当てられる。ここで、基地局は、異なる種類の端末のために異なるランダムアクセスリソースを事前に割り当てる。
【０１２９】
実施において、前記ランダムアクセスバックオフインジケータのＢＩパラメーターは、異なる種類の端末の異なる時間値に対応する。
【０１３０】
実施において、基地局ランダムアクセス応答のランダムアクセスバックオフインジケータ内の複数のＢＩ値を示し、前記ＢＩ値は、端末のユーザー需要および/または端末種類に従って決定される。
【０１３１】
実施において、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【０１３２】
実施において、基地局がランダムアクセスバックオフインジケータを送信する前に、端末を分類し、異なる種類の端末に異なるバックオフパラメーターを適用させル。具体的に、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）および前記端末サービスが所属するＲＡＮ側のスライス（ｓｌｉｃｅ）のうちの１つまたはそれらの任意の組み合わせによって、端末を分類する。および/または、端末のサービスが複数ある場合、ランダムアクセスをトリガーするためのサービス需要を端末の現在需要として決定し、サービス需要に従って端末を分類する。
【０１３３】
実施において、基地局は、端末種類を決定した後、前記端末種類に対応するＢＩ値を選択し、ランダムアクセス応答のバックオフインジケータによってＢＩ値を示す場合、端末にバックオフしきい値を示し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、端末にアクセス係数を示し、端末に必要な遅延が大きいほど前記アクセス係数によって示される端末アクセス確率が高くなる。
【０１３４】
ここで、図１０において、バスアーキテクチャは、いずれ数の相互接続するバス及びブリッジを備える。具体的に、プロセッサが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェース１０３０はインターフェースを提供する。送受信機１０１０は、複数の部品であることができ、即ち、送信機及び受信機を備え、伝送メディアを介して他の装置と通信するユニットを提供する。プロセッサ１０００は、バスアーキテクチャ及び通常の処理を監視し、メモリ１０２０は、プロセッサ１０００が動作する際に利用するデータを記憶することができる。
【０１３５】
図１１は、端末の構成図である。図に示すように、端末は、メモリ１１２０内のプログラムを読み出して、送受信機のニーズに応じてデータを処理するためのプロセッサ１１００と、プロセッサ１１００の制御でデータを送受信するための送受信機１１１０戸を備える。
【０１３６】
送受信機１１１０は、基地局にランダムアクセス要求Ｍｓｇ１を送信し、
【０１３７】
基地局からのランダムアクセスバックオフインジケータを受信し、前記ランダムアクセスバックオフインジケータは、異なる種類の端末が異なるバックオフパラメーターを適用して、ランダムアクセスが失敗した後にランダムアクセスを再開することを示し、前記ランダムアクセスバックオフインジケータに従ってランダムアクセスを開始する。
【０１３８】
実施において、前記ランダムアクセスバックオフインジケータにおいて、デフォルトのバックオフパラメーターが０である場合、一番近接するリソースにおいてランダムアクセスを開始する。ここで、前記ランダムアクセスバックオフインジケータにおいて、特定の端末のデフォルトのバックオフパラメーターが０であり、特定の端末は、短い遅延ユーザー種類端末であるか短い遅延サービス端末である。 
【０１３９】
実施において、基地局にランダムアクセス要求Ｍｓｇ１を送信する場合、基地局によって異なる種類の端末のために事前に割り当てられた異なるランダムアクセスリソースにおいて、端末種類に従って、対応するランダムアクセスリソースにおいてランダムアクセス要求Ｍｓｇ１を送信する。
【０１４０】
実施において、前記ランダムアクセスバックオフインジケータに従ってランダムアクセスを開始する場合、基地局によって事前に設定されたランダムアクセスバックオフインジケータのＢＩパラメーターが、異なる種類の端末の異なる時間値に対応する条件下で、端末種類に従って前記ランダムアクセスバックオフインジケータのＢＩパラメーターに対応する時間値を決定した後、当該時間値に従ってランダムアクセスを開始する。
【０１４１】
実施において、前記ランダムアクセスバックオフインジケータに従ってランダムアクセスを開始する場合、ランダムアクセス応答のバックオフインジケータによって示される複数のＢＩ値のうちの、端末のユーザー需要および/または端末種類に従って決定されたＢＩ値に基づいて、ランダムアクセスを開始する。
【０１４２】
実施において、基地局がランダムアクセス応答のバックオフインジケータによって、複数のＢＩ値を示す場合、ＭＡＣサブヘッダーにおいて前記端末種類インジケータおよび前記端末種類に対応するＢＩパラメーターを運ぶことにより、前記端末のＢＩ値を示す。
【０１４３】
実施において、前記端末は、端末種類、端末ユーザーサービスのＱＣＩ需要、端末サービスのＱＣＩ需要、前記端末が所属するネットワーク、前記端末サービスが所属するネットワーク、前記端末が所属するＲＡＮ側のスライス（ｓｌｉｃｅ）、前記端末サービスが所属するＲＡＮ側のスライス（ｓｌｉｃｅ）のうちの１つまたはそれらの任意の組み合わせによって分類される。および/または、端末のサービスが複数ある場合、ランダムアクセスをトリガーするためのサービス需要を端末の現在需要として決定し、サービス需要に従って端末を分類する。 
【０１４４】
実施において、さらに、基地局によって端末に示されたバックオフしきい値を受信し、端末は、前記バックオフしきい値より小さい場合、均一分散アルゴリズムでランダムアクセスを再開する時刻を計算し、前記バックオフしきい値より大きい場合、非均一分散アルゴリズムでランダムアクセスを再開する時刻を計算し、または、基地局が端末に示したアクセス係数を受信し、アクセス係数に従ってＢＩ値を修正する。ここで、基地局によって示されるアクセス係数は、端末に必要な遅延が大きいほど、前記アクセス係数によって示される端末アクセス確率が高くなる。
【０１４５】
図１１において、バスアーキテクチャは、いずれ数の相互接続するバス及びブリッジを備える。具体的に、プロセッサ１１００によって表される1つまたは複数のプロセッサ、およびメモリ１１２０によって表される1つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェース１１４０はインターフェースを提供する。送受信機１１１０は、伝送媒体を介して様々な他のデバイスと通信するためのユニットであるいくつかの要素、例えば送信機および受信機であり得る。異なるユーザー機器の場合、ユーザーインターフェース１１３０は、必要に応じてデバイスを内部および外部から接続するインターフェイスでもあり、接続されたデバイスには、キーパッド、モニター、スピーカー、マイク、ジョイスティックが含まれるが、これらに限定されない。
【０１４６】
プロセッサ１１００は、バスアーキテクチャ及び通常の処理を監視し、メモリ１１２０は、プロセッサ１１００が動作する際に利用するデータを記憶することができる。
【０１４７】
要約すると、本発明の実施形態による技術的解決策では、ランダムアクセスが失敗した後、異なる要求を有するユーザ機器に異なるバックオフインジケータが適用され、遅延の短いユーザ機器がネットワークに迅速にアクセスできるようになる。具体的に、以下のような案を提供する。
【０１４８】
短い遅延ユーザー、すなわち遅延対する要求が高いユーザーの場合、ランダムアクセスバックオフインジケータのデフォルトのバックオフパラメーターは０である。あるいは、ランダムアクセスが失敗した後、バックオフインジケータｂａｃｋｏｆｆ ｉｎｄｉｃａｔｏｒを無視し、一番近接するリソースにおいてランダムアクセスの試行をすぐに再開。
【０１４９】
基地局は、異なる遅延が要求される端末のために異なるランダムアクセス時間周波数リソース（ＰＲＡＣＨリソース）を設定し、基地局は、受信したＰＲＡＣＨリソース時間周波数位置に従って、ＲＡ−ＲＮＴＩを決定し、これに基づいてバックオフインジケータ（ＢＩ）を含むランダムアクセス応答をスケジュールする。当該時間周波数リソースでＭｓｇ１を送信した端末のみがバックオフインジケータに従う。このようにして、ネットワーク側は、ＰＲＡＣＨリソース位置に従って端末に必要な遅延を決定し、バックオフ時間パラメーターの妥当な長さを示すことができる。異なる遅延要求の端末は、異なるＰＲＡＣＨリソースにおいてランダムアクセス要求Ｍｓｇ１を送信し、ランダムアクセス応答を受信するための位置と、ＲＡ−ＲＮＴＩを決定し、対応するＢＩを受信できる。この方法では、異なる遅延要求の端末のランダムアクセス時間周波数リソースは、互いに完全に分離されることが求められる。
【０１５０】
基地局はＢＩ値を示し、異なる遅延要求の端末は、それをバックオフ遅延パラメータの異なる値にマッピングする。
【０１５１】
基地局は、ランダムアクセス応答のバックオフインジケータに、複数のＢＩ値を示し、当該ＢＩ値に対応する端末種類（ｃａｔｅｇｏｒｙ）を指定する。
【０１５２】
端末は異なるように分類され、異なるＢＩ値は、端末の異なる種類（ｂａｃｋｏｆｆ ｉｎｄｉｃａｔｏｒ）に適用可能である。
【０１５３】
端末のサービスが複数ある場合、ランダムアクセスをトリガーするためのサービス需要に従って、適用可能なバックオフパラメーターを決定する。例えば、最短遅延を有するバックオフパラメータがＵＲＬＬＣサービスを有する端末に適用され、長い遅延を有するバックオフパラメータは、短い遅延を必要としないサービスを有する端末にのみ適用される。
【０１５４】
さらに、ＢＩパラメータのグループが複数ある場合に、ランダムアクセスリソースの遅延を均一にするための解決策が提供される。 
【０１５５】
上記のそれぞれの解決策から明らかなように、ランダムアクセスが失敗した後，後続のランダムアクセスを実際に開始して、短い遅延が必要な端末が迅速なアクセスを実行できるようにすることができる一方、ランダムアクセスリソースは一様にアクセスできるため、ランダムアクセス衝突確率を下げ、ランダムアクセスの成功率を最大化できる。
【０１５６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶メディア（ディスク記憶装置と光学記憶装置等を含むがそれとは限らない）において実施する。
【０１５７】
以上は本発明の実施形態の方法および装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１５８】
これらのコンピュータプログラム指令は又、コンピュータ或いは他のプログラム可能なデータ処理装置を特定の方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１５９】
これらコンピュータプログラム指令はさらに、コンピュータ或いは他のプログラム可能なデータ処理装置設備に実施もできる。コンピュータプログラム指令が実施されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１６２】
８０１  送信モジュール
８０２  受信モジュール
９０１  要求受信モジュール
９０２  指示モジュール
１０００  プロセッサ
１０１０  送受信機
１０２０  メモリ
１０３０  バスインターフェース
１１００  プロセッサ
１１１０  送受信機
１１２０  メモリ
１１３０  ユーザーインターフェース
１１４０  バスインターフェース
【図１】
0006823197.tif 000002
【図２】
0006823197.tif 000003
【図３】
0006823197.tif 000004
【図４】
0006823197.tif 000005
【図５】
0006823197.tif 000006
【図６】
0006823197.tif 000007
【図７】
0006823197.tif 000008
【図８】
0006823197.tif 000009
【図９】
0006823197.tif 000010
【図１０】
0006823197.tif 000011
【図１１】
0006823197.tif 000012